(57)【要約】【課題】戸幅の異なる両引分戸の連動開閉装置と防火戸を提供する【解決手段】両引分戸を全開させた時の上部位置に滑車５、５をそれぞれ設け、両滑車間に筒状誘導具６を通したワイヤーロープ７をエンドレス状に張設し、一旦両引分戸を全閉位置に戻した後、幅狭引き戸側から持ち出したワイヤーロープ固定具８と筒状誘導具なし側のワイヤーロープとを固着し、幅広引き戸側から持ち出した固定具９と筒状誘導具とを連結し、筒状誘導具付側のワイヤーロープにおいて筒状誘導具が引き戸全閉位置より幅狭引き戸方向に移動出来ない位置Ｐに筒状誘導具の第１留め具１０を固着し、この第１留め具の固着位置から筒状誘導具方向に両引分戸の戸幅の差と筒状誘導具の長さとを加えた距離だけ離れた位置Ｑに第２留め具を固着して幅広引き戸を開閉操作する連動開閉装置と同装置付防火戸【選択図】  図１
2004190467.tif 000002
【特許請求の範囲】
【請求項１】
左右の戸幅の異なる両引分戸において両引分戸を全開させた時の上部位置の両方に滑車がそれぞれ設けられ、両滑車間に１個の筒状誘導具を通したワイヤーロープがエンドレス状に張設され両引分戸が全閉位置または全開位置に置かれた後幅狭引き戸側から持ち出されたワイヤーロープ固定具と筒状誘導具がついていない方のワイヤーロープとが固着され幅広引き戸側から持ち出された固定具と上記筒状誘導具とが連結された上、更に両引分戸の上記設定位置における筒状誘導具の初期位置設定として筒状誘導具の移動限界側と当接する位置のワイヤーロープに第１留め具が固着されこの第１留め具の固着位置から筒状誘導具方向に幅広引き戸と幅狭引き戸との戸幅の差と筒状誘導具の長さとを加えた距離だけ離れた位置に第２留め具が固着され、幅広引き戸を上記設定位置から正反対位置まで到達させることによって幅狭引き戸も同時にまた設定位置から正反対位置まで到達させることが出来ることを特徴とする戸幅の異なる両引分戸の連動開閉装置
【請求項２】
通常時は係止手段により常開係止され緊急時は非常信号により係止が自動解除されて閉鎖手段により開口部を閉鎖する戸幅の異なる常開式両引分防火戸において幅広防火戸に全開時における係止手段と緊急時における閉鎖手段とが設けられ、両引分防火戸を全開させた時の上部位置の両方に滑車がそれぞれ設けられ、両滑車間に１個の筒状誘導具を通したワイヤーロープがエンドレス状に張設され両引分防火戸が全閉位置または全開位置に置かれた後、幅狭防火戸側から持ち出されたワイヤーロープ固定具と筒状誘導具がついていない側のワイヤーロープとが固着され、幅広防火戸側から持ち出された固定具と筒状誘導具とが連結された上、更に両引分防火戸の上記設定位置における筒状誘導具の初期位置設定として筒状誘導具の移動限界側と当接する位置のワイヤーロープに第１留め具が固着され、この第１留め具の固着位置から筒状誘導具方向に幅広防火戸と幅狭防火戸との戸幅の差と筒状誘導具の長さとを加えた距離だけ離れた位置に第２留め具が固着されてなり、幅広防火戸を全開位置まで開放させることによって幅狭引き戸も同時に全開出来、緊急時には両引分戸が同時閉鎖出来ることを特徴とする連動開閉装置付常開式防火戸
【発明の詳細な説明】
【０００１】
【発明の属する技術分野】
本発明は一方の引き戸を開閉すれば他方の引き戸も同時に開閉できる両引分戸の連動開閉装置に関するものとこの装置付常開式両引分防火戸に関するものである。
【０００２】
【従来の技術】
両引分戸の一方を開閉操作することにより他の一方も連動して開閉させる方法の基本形は引分戸（特許文献１参照）に詳しく説明されており、またエレベータ前のドア開閉装置（特許文献２参照）にも応用されている。
【０００３】
【特許文献１】
特開２０００−２０６０８号公報明細書全頁
【特許文献２】
特開平１１−２０６０８号公報、図１
【０００４】
【発明が解決しようとする課題】
しかしながらこれらの両引分戸の連動装置は戸幅が同じ長さのものの開閉で左右対称のものであれば有効であるが、中にはエレベータ設置に際して設計上収納に関して片方側は大きく取れるが他方側が小さくしか取れないため左右の戸幅を同じに出来ないとか、奥行きがなくレール２本の２枚引き戸にすることが出来ないためレール１本の引き戸にしなければならないなどの制約条件があることがあり、その場合には用いることが出来ないという不都合があり、このようなケースが近年特に増加傾向にある。本発明はかかる不都合を解決することを目的として提供されたものである。
【０００５】
【課題を解決するための手段】
本発明は掛かる不都合を左右のドア幅を互いに異ならせ、更にドアから持ち出した固定具とワイヤーロープとの取付方法を工夫することによりかかる不都合を解決した。すなわち一つには左右の戸幅の異なる両引分戸において両引分戸を全開させた時の上部位置の両方に滑車がそれぞれ設けられ、両滑車間に１個の筒状誘導具を通したワイヤーロープがエンドレス状に張設され両引分戸が全閉位置または全開位置に置かれた後、幅狭引き戸側から持ち出されたワイヤーロープ固定具と筒状誘導具がついていない方のワイヤーロープとが固着され幅広引き戸側から持ち出された固定具と上記筒状誘導具とが連結された上、更に両引分戸の上記設定位置における筒状誘導具の初期位置設定として筒状誘導具の移動限界側と当接する位置のワイヤーロープに第１留め具が固着されこの第１留め具の固着位置から筒状誘導具方向に幅広引き戸と幅狭引き戸との戸幅の差と筒状誘導具の長さとを加えた距離だけ離れた位置に第２留め具が固着され、幅広引き戸を上記設定位置から正反対位置まで到達させることによって幅狭引き戸も同時にまた設定位置から正反対位置まで到達させることが出来ることを特徴とする戸幅の異なる両引分戸の連動開閉装置であり、また１つには通常時は係止手段により常開係止され緊急時は非常信号により係止が自動解除されて閉鎖手段により開口部を閉鎖する戸幅の異なる常開式両引分防火戸において幅広防火戸に全開時における係止手段と緊急時における閉鎖手段とが設けられ、両引分防火戸を全開させた時の上部位置の両方に滑車がそれぞれ設けられ、両滑車間に１個の筒状誘導具を通したワイヤーロープがエンドレス状に張設され、両引分防火戸が全閉位置または全開位置に置かれた後、幅狭防火戸側から持ち出されたワイヤーロープ固定具と筒状誘導具がついていない側のワイヤーロープとが固着され、幅広防火戸側から持ち出された固定具と筒状誘導具とが連結された上、更に両引分防火戸の上記設定位置における筒状誘導具の初期位置設定として筒状誘導具の移動限界側と当接する位置のワイヤーロープに第１留め具が固着され、この第１留め具の固着位置から筒状誘導具方向に幅広防火戸と幅狭防火戸との戸幅の差と筒状誘導具の長さとを加えた距離だけ離れた位置に第２留め具が固着されてなり、幅広防火戸を全開位置まで開放させることによって幅狭引き戸も同時に全開出来、緊急時には両引分戸が同時閉鎖出来ることを特徴とする連動開閉装置付常開式両引分防火戸である。
【０００６】
ここで両引分防火戸の上記設定位置における筒状誘導具の初期位置設定としての「筒状誘導具の移動限界側と当接する位置」とは例えば両引分防火戸を全開位置に置いたとすると筒状誘導具においてはそれ以上開かせない側、両引分防火戸を全閉位置に置いたとすると筒状誘導具においてはそれ以上閉まらせない側を指し、その反対方向にはワイヤーロープに通された筒状誘導具が自由に動くことを意味する。
【０００７】
また、この防火戸はレール軌道上で吊車式であっても床車輪式であっても良く、全開時に用いる係止及び係止解除手段はその機能を果たせばどのようなものでも良い。また、閉鎖手段は閉鎖装置を用いても良いし、吊車式の場合は互いのレールを全閉方向に傾斜させて設置し自閉させても良く、どちらの場合も閉鎖時の加速性を軽減するため調速装置を付加することが好ましい。
【０００８】
【発明の実施の形態】
以下本発明の実施例を図に基づいて説明すると図１は本発明装置の主要部構造を抜粋した説明図であり、図２は本発明防火戸のうち連動開閉装置のみを主として抜粋した斜視図、図３は本発明防火戸のうち係止装置及び閉鎖装置を主として抜粋した斜視図、図４は実施例３の連動開閉装置のワイヤーロープとの接続状況を抜粋して開口部側よりみた斜視図であり、図２と図３は引き戸上部のほぼ同じような場所に互いに干渉することなく取付けられているが説明の都合上分解した。
【０００９】
まず実施例１の構成を説明すると、図１においてＷａの幅を有する幅狭引き戸１ａとＷｂの幅を有する幅広引き戸１ｂが戸車（図示せず）とレール（図示せず）により左右に開かれるように構成されている。図中実線で示した位置が両引分戸の全閉位置であり、２点鎖線で示した位置が両引分戸の全開位置である。
【００１０】
図１に示すように幅狭引き戸１ａと幅広引き戸１ｂとを全開させた時の上部位置の両側に滑車５、５がそれぞれ設けられ、両滑車５、５間に長さＬの筒状誘導具６を通したワイヤーロープ７がエンドレス状に張設されている。
【００１１】
両引分戸１ａ、１ｂがそれぞれ全閉位置に置かれ、幅狭引き戸１ａから持ち出されたワイヤーロープ固定具８と筒状誘導具６がついていない側のワイヤーロープ７とがＫの位置で固着されている。一方、幅広引き戸１ｂから持ち出された固定具９と上筒状誘導具６とが連結されて一体化されている。
【００１２】
更に筒状誘導具６を通過させた側のワイヤーロープ７で筒状誘導具６が引き戸全閉位置より幅狭引き戸方向に移動出来ない位置Ｐに筒状誘導具６の第１留め具１０が固着され、この第１留め具取付位置Ｐから筒状誘導具方向に筒状誘導具の長さＬと幅広引き戸１ｂと幅狭引き戸１ａの幅の差Ｗｂ−Ｗａとを加えた距離すなわち筒状誘導具方向にＬ＋（Ｗｂ−Ｗａ）だけ離れた位置Ｑに第２留め具１１が固着されてなる戸幅の異なる両引分戸の連動開閉装置である。
【００１３】
また、本実施例１におけるＱの位置を設定するもう１つの方法として上記方法で第１留め具が固着された後、両引分戸１ａ、１ｂを再び全開位置に戻し、全開位置における筒状誘導具６が引き戸全開位置より移動出来ない位置すなわち幅広引き戸１ｂの全開位置における筒状誘導具６と当接する位置をＱとし、そこに第２留め具１１を固着させれば良く、結果は同じ位置を指している。
【００１４】
次にその動作を説明すると両引分戸１ａ、１ｂの全閉位置から幅広引き戸１ｂを開方向に移動させてゆくと幅広引き戸１ｂに固定具９で連結された筒状誘導具６もまた同様にワイヤーロープ７を移動させることなくＱ位置まで移動する。そして筒状誘導具６がＱ位置で第２留め具１１に当接し、更に幅広引き戸１ｂを開方向に移動させてゆくと第２留め具１１はワイヤーロープ７に固着されているため、今度はワイヤーロープ７も一緒に移動し、ワイヤーロープ固定具８もまたワイヤーロープ７に固着されているため、それに伴って幅狭引き戸１ａも開方向に移動することになる。ここで、筒状誘導具６がＱ位置で第２留め具１１に当接するまでに移動した距離は初期条件設定よりＷｂ−Ｗａであり、全開位置までの残りの距離はＷｂ−（Ｗｂ−Ｗａ）＝Ｗａであるから幅広引き戸１ｂが全開位置に到達した時、幅狭引き戸１ａもまた全開位置に到達することになる。すなわち両引分戸は同時に全開位置に達する。
【００１５】
今度は逆に幅広引き戸１ｂを閉方向に移動させてゆくと筒状誘導具６は幅広引き戸１ｂと同様に移動するのでＰ位置までワイヤーロープ７を移動させることなく単独で移動する。そして筒状誘導具６がＰ位置で第１留め具１０に当接し、更に幅広引き戸１ｂを閉方向に移動させてゆくと第１留め具１０はワイヤーロープ７に固着されているため、今度はワイヤーロープ７も移動し、ワイヤーロープ固定具８もまたワイヤーロープ７に固着されているため、それに伴って幅狭引き戸１ａも閉方向に移動することになる。筒状誘導具６がＰ位置で第１留め具１１に当接するまでに移動した距離はＷｂ−Ｗａであり、全閉位置までの残りの距離はＷｂ−（Ｗｂ−Ｗａ）＝Ｗａであるから幅広引き戸１ｂが全閉位置に到達した時、幅狭引き戸１ａもまた全閉位置に到達することになる。すなわち両引分戸は同時に全閉位置に達する。
【００１６】
以上の説明からわかるように本発明のように両引分戸の連動開閉装置を構成し、幅広引き戸１ｂを操作することにより戸幅の異なる両引分戸であっても両引分戸１ａ、１ｂは同時に全閉全開を繰り返すことが出来る。
【００１７】
次に実施例２について説明する。実施例２は実施例１と完成状態を同じくするものであるが設定する順序が異なるものである。両引分戸を全開させた時の上部位置両側に滑車５、５をそれぞれ設け、両滑車間に長さＬの筒状誘導具６を通したワイヤーロープ７をエンドレス状に張設した後、実施例１が両引分戸を全閉位置にもどしてから順次部品をセットしていったのに対し、実施例２は両引分戸を全開位置に置いたままセットしていったものである。
【００１８】
すなわち実施例２は両引分戸を全開位置に置いた後幅狭引き戸１ａから持ち出されたワイヤーロープ固定具８と筒状誘導具６がついていない側のワイヤーロープ７とが固着され、幅広引き戸１ｂから持ち出された固定具９と筒状誘導具６とが連結されて一体化された上、更に筒状誘導具６を通過させた側のワイヤーロープ７で筒状誘導具６が引き戸全開位置より移動出来ない位置に筒状誘導具６の第２留め具１１が固着され、この第２留め具の固着位置から筒状誘導具方向に筒状誘導具の長さＬと幅広引き戸と幅狭引き戸の幅の差Ｗｂ−Ｗａとを加えた距離すなわち筒状誘導具方向にＬ＋（Ｗｂ−Ｗａ）だけ離れた位置に第１留め具１０が固着されてなるものである。
【００１９】
また、本実施例２における第１留め具１０の固着位置を設定するもう１つの方法として上記方法で第２留め具が固着された後、両引分戸１ａ、１ｂを再び全閉位置に戻し、全閉位置における筒状誘導具６が引き戸全閉位置より移動出来ない位置すなわち幅広引き戸１ｂの全閉位置における筒状誘導具６と当接する位置に第１留め具１０を固着させれば良く、結果は同じ位置を指している。
【００２０】
動作については実施例１における全開から全閉に至る動作が先になるだけであとは実施例１と同様となるため省略する。
【００２１】
次に実施例３について説明する。実施例３は実施例１の連動開閉装置を取りつけた常開式両引分防火戸である。実施例１と構成動作を同じくするものについては同じ番号を用いる。まずその構成を説明すると、まず、図２においてＷａの幅を有する幅狭防火戸１ａとＷｂの幅を有する幅広防火戸１ｂがレール２上にそれぞれ吊車３により接続具４を介して吊り下げられており幅狭防火戸１ａと幅広防火戸１ｂの両者はレール２に沿って開閉自在に動く。幅広防火戸１ｂには図３に示すように係止装置１３に係止される係止具１２が設けられ、調速装置を内蔵する閉鎖装置１４が幅広防火戸１ｂを閉鎖する方向に設けられ、閉鎖装置１４から引き出されたワイヤーロープ１５の先端は幅広防火戸１ｂに取りつけられている。また、幅広防火戸１ｂの全開位置には係止具１２と連結係止される係止装置１３が設けられてなる。
【００２２】
両引分防火戸１ａ、１ｂを全開させた時の上部位置の両方に滑車５、５がそれぞれ設けられ、両滑車５、５間に長さＬの筒状誘導具６を通したワイヤーロープ７がエンドレス状に張設され、両引分防火戸１ａ、１ｂを全閉位置に置いた後、幅狭防火戸１ａ側の接続具４から持ち出されたワイヤーロープ固定具８と筒状誘導具６がついていない側のワイヤーロープ７とが位置Ｋで固着されている。一方、幅広防火戸１ｂ側の接続具４から持ち出された固定具９と上記筒状誘導具６とが連結され、筒状誘導具６を通過させた側のワイヤーロープ７で筒状誘導具６が防火戸全閉位置より幅狭防火戸方向に移動出来ない位置Ｐに筒状誘導具６の第１留め具１０が固着され、この第１留め具の固着位置から筒状誘導具方向に筒状誘導具の長さＬと幅広防火戸１ｂと幅狭防火戸１ａとの戸幅差Ｗｂ−Ｗａとを加えた距離、すなわち筒状誘導具方向にＬ＋（Ｗｂ−Ｗａ）だけ離れた位置Ｑに第２留め具１１が固着されてなる戸幅の異なる両引分戸の連動開閉装置付常開式両引分防火戸である。この第１留め具１０、第２留め具１１の固着状況は図４に示す通りであり、Ｋ、Ｐ、Ｑの位置は図１に示す通りである。
【００２３】
次にその動作を説明すると、幅広防火戸１ｂを開方向に移動させてゆくと幅広防火戸１ｂに固定具９で連結された筒状誘導具６もまた同様にワイヤーロープ７を移動させることなく単独で移動する。そして筒状誘導具６が第２留め具１１に当接後、更に幅広防火戸１ｂを開方向に移動させてゆくと第２留め具１１はワイヤーロープ７に固着されているため、今度はワイヤーロープ７をも一緒に移動し、ワイヤーロープ固定具８もまたワイヤーロープ７に固着されているため、それに伴って幅狭防火戸１ａも開方向に移動することになる。ここで、筒状誘導具６が第２留め具１１に当接するまでに移動した距離は初期条件設定よりＷｂ−Ｗａであり、全開位置までの残りの距離はＷｂ−（Ｗｂ−Ｗａ）＝Ｗａであるから幅広引き戸１ｂが全開位置に到達した時、幅狭防火戸１ａもまた全開位置に到達し、幅広防火戸１ｂに設けられた係止具１２が係止装置１３に連結係止されるため両引分防火戸１ａ、１ｂは全開したまま停止することになる。
【００２４】
火災などの異常信号が係止装置１３に入ると係止装置１３は幅広防火戸１ｂに設けられた係止具１２の係止を解除するため、幅広防火戸１ｂは閉鎖装置１４によって閉方向に移動してゆく。筒状誘導具６は幅広防火戸１ｂと共に動くので第１留め具１０の位置までワイヤーロープ７を動かすことなく単独で移動する。そして筒状誘導具６が第１留め具１０に当接した後も更に幅広防火戸１ｂは閉方向に閉じてゆくのでワイヤーロープ７もまた移動し、ワイヤーロープ固定具８のために幅狭防火戸１ａも閉方向に移動することになる。筒状誘導具６が第１留め具１１に当接するまでに移動した距離はＷｂ−Ｗａであり、全閉位置までの残りの距離はＷｂ−（Ｗｂ−Ｗａ）＝Ｗａであるから幅広防火戸１ｂが全閉位置に到達した時、幅狭防火戸１ａもまた全閉位置に到達することになる。すなわち両引分戸は同時に全閉位置に達する。
【００２５】
【発明の効果】
本発明の連動開閉装置は簡単な構造でしかも、どのような戸幅の異なる両引分戸であっても全開時には異なる幅の戸袋に完全収納できるという効果があり、常開式両引分防火戸として需要者の要求に応えることが出来る。
【図面の簡単な説明】
【図１】本発明装置の主要部を抜粋した説明図
【図２】本発明防火戸のうち連動開閉装置のみを主として抜粋した斜視図
【図３】本発明防火戸のうち係止装置及び閉鎖装置のみを主として抜粋した斜視図
【図４】実施例３の連動開閉装置のワイヤーロープとの接続状況を抜粋して開口部側よりみた斜視図
【符号の説明】
１ａ、幅狭引き戸
１ｂ、幅広引き戸
２、  レール
３、  吊車
４、  接続具
５、  滑車
６、  筒状誘導具
７、  ワイヤーロープ
８、  ワイヤーロープ固定具
９、  筒状誘導具の固定具
１０、  第１留め具
１１、  第２留め具
１２、  係止具
１３、  係止装置
１４、  閉鎖装置
１５、  ワイヤーロープ
【図１】
2004190467.tif 000003
【図２】
2004190467.tif 000004
【図３】
2004190467.tif 000005
【図４】
2004190467.tif 000006